(57)【要約】【課題】振動に強い安定した接触状態が得られ、しかも、端子挿入力が低い。【解決手段】タブ部３１が挿入される端子接続部２には、挿入されるタブ部３１に押圧されて撓み変形する板バネ部８と、板バネ部８に間隔を置いた位置でタブ挿入方向ｅに延設され、板バネ部８との間で挿入されたタブ部３１を挟持するタブ挟持用突壁１０とが設けられ、板バネ部８には、タブ挟持用突壁１０側に突出するバネ側突部８ａが設けられたメス端子１であって、タブ挟持用突壁１０には、タブ挿入方向ｅの直交方向の寸法がタブ挟持用突壁１０より狭い寸法で板バネ部８側に突出し、タブ挿入方向ｅに延びる突起部１１が設けられ、突起部１１は、バネ側突部８ａの位置ではタブ部３１より離間し、バネ側突部８ａの位置よりタブ挿入方向ｅの前方及び後方の位置で近接するような湾曲状に形成されている。【選択図】図２
2016062710.tif 000002
【特許請求の範囲】
【請求項１】
相手端子のタブ部が挿入される端子接続部には、挿入される前記タブ部に押圧されて撓み変形する板バネ部と、前記板バネ部に間隔を置いた位置でタブ挿入方向に延設され、前記板バネ部との間で挿入された前記タブ部を挟持するタブ挟持用突壁とが設けられ、前記板バネ部には、前記タブ挟持用突壁側に突出するバネ側突部が設けられた端子であって、
前記タブ挟持用突壁には、タブ挿入方向の直交方向の寸法が前記タブ挟持用突壁より狭い寸法で前記板バネ部側に突出し、タブ挿入方向に延びる突起部が設けられ、前記突起部は、前記バネ側突部の位置では前記タブ部より離間し、前記バネ側突部の位置よりタブ挿入方向の前方及び後方の位置で近接するような湾曲状に形成されていることを特徴とする端子。
【請求項２】
請求項１記載の端子であって、
前記タブ挟持用突壁は、前記バネ側突部の位置では前記タブ部より離間し、前記バネ側突部の位置よりタブ挿入方向の前方及び後方の位置で近接するような湾曲状に形成され、
前記突起部は、前記タブ挟持用突壁に倣って湾曲状に形成されていることを特徴とする端子。
【請求項３】
請求項１又は請求項２記載の端子であって、
前記突起部は、タブ挿入方向の直交方向から見て円弧状の突起であることを特徴とする端子。
【発明の詳細な説明】
【技術分野】
【０００１】
本発明は、相手端子のタブ部を板バネ部とタブ挟持用突壁で挟持して電気的に接続する端子に関する。
【背景技術】
【０００２】
この種の従来の端子として、特許文献１に開示されたものがある。このメス端子５０は、図５（ａ）、（ｂ）に示すように、オス端子７０を接続する端子接続部５１と電線を接続する電線接続部（図示せず）とを備えている。端子接続部５１は、オス端子７０のタブ部７１が挿入される端子挿入室５２ａを有する箱部５２と、箱部５２の前端より延設され、端子挿入室５２ａ内に折り返された板バネ部５３と、箱部５２の一部の押し出し加工で形成され、板バネ部５３に間隔を置いて配置されたタブ挟持用突壁５４とを有する。
【０００３】
板バネ部５３には、タブ挟持用突壁５４側に突出するバネ側突部５３ａが設けられている。タブ挟持用突壁５４は、バネ側突部５３ａの位置ではタブ部７１より離間し、バネ側突部５３ａよりタブ挿入方向ｅの前方及び後方の位置で近接するような湾曲状に形成されている。タブ挟持用突壁５４には、このような湾曲形状によって、バネ側突部５３ａの位置よりタブ挿入方向ｅの前方及び後方の位置で最も突出する箇所、つまり、一対の突部５４ａが設けられている。
【０００４】
オス端子７０のタブ部７１をメス端子５０の端子挿入室５２ａに挿入すると、タブ部７１が板バネ部５３と接触し、板バネ部５３が押圧されて撓み変形する。これにより、タブ部７１の端子挿入室５２ａ奥への挿入が許容され、図５（ａ）の端子嵌合状態となる。タブ部７１は、板バネ部５３の弾性復帰力を接触荷重として板バネ部５３のバネ側突部５３ａ及び一対の突部５４ａの３点で接触される。
【０００５】
このメス端子５０によれば、オス端子７０のタブ部７１が３点で接触するため、振動に強い安定した接触状態が得られる。
【先行技術文献】
【特許文献】
【０００６】
【特許文献１】特開２００１−２１０４１７号公報
【発明の概要】
【発明が解決しようとする課題】
【０００７】
しかしながら、前記従来例では、オス端子７０のタブ部７１の挿入過程にあって、タブ部７１がタブ挟持用突壁５４に摺動しつつ挿入され、図５（ｃ）に示すように、摺動幅ｄ２がタブ挟持用突壁の幅ｄに近い大きな幅となる。そのため、タブ部７１の摺動面積が大きく、端子挿入力が大きいという問題があった。
【０００８】
そこで、本発明は、前記した課題を解決すべくなされたものであり、振動に強い安定した接触状態が得られ、しかも、端子挿入力が低い端子を提供することを目的とする。
【課題を解決するための手段】
【０００９】
本発明は、相手端子のタブ部が挿入される端子接続部には、挿入される前記タブ部に押圧されて撓み変形する板バネ部と、前記板バネ部に間隔を置いた位置でタブ挿入方向に延設され、前記板バネ部との間で挿入された前記タブ部を挟持するタブ挟持用突壁とが設けられ、前記板バネ部には、前記タブ挟持用突壁側に突出するバネ側突部が設けられた端子であって、前記タブ挟持用突壁には、タブ挿入方向の直交方向の寸法が前記タブ挟持用突壁より狭い寸法で前記板バネ部側に突出し、タブ挿入方向に延びる突起部が設けられ、前記突起部は、前記バネ側突部の位置では前記タブ部より離間し、前記バネ側突部の位置よりタブ挿入方向の前方及び後方の位置で近接するような湾曲状に形成されていることを特徴とする端子である。
【００１０】
前記タブ挟持用突壁は、前記バネ側突部の位置では前記タブ部より離間し、前記バネ側突部の位置よりタブ挿入方向の前方及び後方の位置で近接するような湾曲状に形成され、前記突起部は、前記タブ挟持用突壁に倣って湾曲状に形成されているものを含む。前記突起部は、タブ挿入方向の直交方向から見て円弧状の突起であるものを含む。
【発明の効果】
【００１１】
本発明によれば、端子嵌合状態にあっては、タブ部が板バネ部のバネ側突部及び一対の突部の３点で接触されるため、振動に強い安定した接触状態が得られる。又、相手端子のタブ部の挿入過程にあって、タブ部がタブ挟持用突壁よりさらに突出した突起部に摺動しつつ挿入されるため、摺動幅がタブ挟持用突壁の幅より狭くなり、端子挿入力が低い。以上より、端子は、振動に強い安定した接触状態が得られ、しかも、端子挿入力が低い。
【図面の簡単な説明】
【００１２】
【図１】本発明の一実施形態を示し、メス端子がコネクタハウジング内に挿入される前の状態を示す斜視図である。
【図２】本発明の一実施形態を示し、（ａ）はメス端子の断面図、（ｂ）は（ａ）のＡ−Ａ線断面図、（ｃ）はタブ部の摺動箇所（面積）を網目ハッチングで示した要部平面図である。
【図３】本発明の一実施形態を示し、メス端子のタブ挟持用突壁を下方から見た破断斜視図である。
【図４】本発明の一実施形態を示し、オス端子の挿入初期を示すメス端子の要部断面図である。
【図５】従来例を示し、（ａ）はオス端子が嵌合されたメス端子の断面図、（ｂ）は（ａ）のＢ−Ｂ線断面図、（ｃ）はタブ部の摺動箇所（面積）を網目ハッチングで示した要部平面図である。
【発明を実施するための形態】
【００１３】
以下、本発明の一実施形態を図面に基づいて説明する。
【００１４】
図１〜図４は本発明の一実施形態を示す。図１に示すように、本発明に係る端子であるメス端子１は、コネクタハウジング２０の端子収容室２１に収容される。メス端子１は、電線Ｗの端末に接続されている。電線Ｗの外周にはゴム栓２２が装着され、ゴム栓２２によってコネクタハウジング２０内への水等の浸入が防止されている。以下、メス端子１について説明する。
【００１５】
図２及び図３に示すように、メス端子１は、１枚の所定形状の導電性プレート材を折り曲げ加工して形成される。メス端子１は、相手端子であるオス端子３０のタブ部３１が挿入される端子接続部２と電線（図１参照）が接続される電線接続部１５とを備えている。
【００１６】
端子接続部２は、底壁部３と一対の側壁部４，５と天壁部６とを有する。底壁部３と一対の側壁部４，５と天壁部６によって角筒形状をなしている。角筒形状の内部は、オス端子３０のタブ部３１が挿入される端子挿入室７である。端子挿入室７には、端子接続部２の底壁部３の前端より折り返された板バネ部８が配置されている。板バネ部８には、下記するタブ挟持用突壁１０側に突出するバネ側突部（インデント部）８ａが設けられている。バネ側突部８ａは、半球状である。バネ側突部８ａは、板バネ部８の打ち出しによって形成されている。底壁部３には、補助バネ部９が設けられている。補助バネ部９は、底壁部３の切り起しによって形成されている。補助バネ部９の先端箇所は、板バネ部８の先端側の撓み変形領域に配置されている。つまり、板バネ部８が撓み変形すると補助バネ部９も撓み変形し、これによりバネ力の増加が図られている。
【００１７】
天壁部６は、重ね合された２枚の板材より形成されている。天壁部６の下方の板材には、端子収容室１０内に突出するタブ挟持用突壁１０が設けられている。タブ挟持用突壁１０は、板バネ部８に間隔を置いた位置に位置する。タブ挟持用突壁１０は、タブ挿入方向ｅに対し湾曲形状に形成されている。湾曲形状は、バネ側突部８ａの位置ではタブ部３１より離間し、バネ側突部８ａの位置よりタブ挿入方向ｅの前方及び後方の位置で近接するような湾曲方向である。
【００１８】
タブ挟持用突壁１０には、図３に詳しく示すように、板バネ部８側に突出し、タブ挿入方向ｅに沿って延びる突起部１１が設けられている。突起部１１は、タブ挟持用突壁１０の湾曲形状に倣ってタブ挿入方向ｅに対し湾曲形状である。突起部１１は、タブ挿入方向ｅの全ての位置で同じ突出量となっている。突起部１１は、この湾曲形状によって、バネ側突部８ａの位置よりタブ挿入方向ｅの前方及び後方の位置で最も突出する箇所、つまり、一対の突部１１ａが形成されている。突起部１１は、タブ挿入方向ｅの直交方向の寸法がタブ挟持用突壁１０より狭い寸法（幅）である。突起部１１は、タブ挿入方向ｅの直交方向から見て円弧状の突起である。
【００１９】
次に、端子嵌合動作を説明する。オス端子３０のタブ部３１をメス端子１の端子挿入室７に挿入すると、タブ部３１が板バネ部８と接触する。すると、図４に示すように、タブ部３１が板バネ部８を押圧して板バネ部８が撓み変形すると共にタブ部３１は、板バネ部８からのバネ復帰力を受けるため、タブ挟持用突壁１０の突起部１１側に押圧される。タブ部３１は、板バネ部８の撓み変形によって端子挿入室７の奥への挿入が許容されると共に、タブ挟持用突壁１０の突起部１１を摺動し、図２（ａ）、（ｂ）の端子嵌合状態となる。タブ部３１は、板バネ部８の弾性復帰力を接触荷重として板バネ部８のバネ側突部８ａ及び一対の突部１１ａの３点で接触する。従って、メス端子１は、オス端子３０とこの３点で電気的に接続される。
【００２０】
このメス端子１によれば、端子嵌合状態にあっては、タブ部３１が板バネ部８のバネ側突部８ａ及び一対の突部１１ａの３点で接触されるため、接触点が２点である場合に比べて、振動に強い安定した接触状態が得られる。特に、板バネ部８のバネ側突部８ａを支点とするタブ部３１の振動（搖動）がタブ挟持用突壁１０の２点の突部１１ａによって規制されるため、このような振動を有効に抑制できる。又、オス端子３０のタブ部３１の挿入過程にあって、タブ部３１がタブ挟持用突壁１０よりさらに突出した突起部１１に摺動しつつ挿入されるため、図２（ｃ）に示すように、摺動幅ｄ１がタブ挟持用突壁１０ｄの幅より十分狭くなり、端子挿入力が低く抑えられる。以上より、メス端子１は、振動に強い安定した接触状態が得られ、しかも、端子挿入力が低い。タブ部３１の摺動幅ｄ１は、突起部１１の幅等によって調整可能である。
【００２１】
タブ挟持用突壁１０は、バネ側突部８ａの位置ではタブ部３１より離間し、バネ側突部８ａの位置よりタブ挿入方向ｅの前方及び後方の位置で近接するような湾曲状に形成され、突起部１１は、タブ挟持用突壁１０に倣って湾曲状に形成されている。従って、突起部１１の突出量をタブ挿入方向ｅの全ての位置で同じ高さとすることによって突起部１１を湾曲形状に形成できる。変形例として、タブ挟持用突壁１０は、タブ挿入方向ｅに沿って湾曲しないストレートに形成し、突起部１１の突出量をタブ挿入方向ｅに沿って可変することによって突起部１１を湾曲形状に形成する構成が考えられる。
【００２２】
突起部１１は、タブ挿入方向ｅの直交方向から見て円弧状の突起である。従って、タブ部３１の摺動幅ｄ１を小さくでき、しかも、端子挿入室７にタブ部３１が傾斜状態で挿入されても突起部１１の角部がタブ部３１に当ることがなくスムーズな挿入が可能である。
【符号の説明】
【００２３】
１  メス端子（端子）
２  端子接続部
８  板バネ部
８ａ  バネ側突部
１０  タブ挟持用突壁
１１  突起部
３０  オス端子（相手端子）
３１  タブ部
【図１】
2016062710.tif 000003
【図２】
2016062710.tif 000004
【図３】
2016062710.tif 000005
【図４】
2016062710.tif 000006
【図５】
2016062710.tif 000007